(57)【要約】【課題】撮影アングルを変える際に本体筐体を両手で支えたまま表示手段の角度を変えられるようにすること。【解決手段】本発明の撮像装置１は、レンズ４０およびこのレンズ４０を介して画像を取り込むＣＣＤ１４から成る撮像素子が設けられた本体筐体と、本体筐体に対して回転可能に支持されている表示手段１７と、本体筐体に対して回転可能に取り付けられ、その回転によって表示手段１７の本体筐体に対する回転を連動させるグリップから成る回転動作手段とを備えている。【選択図】　　　　図１
2004147145.tif 000002
【特許請求の範囲】
【請求項１】
レンズおよびこのレンズを介して画像を取り込む撮像素子が設けられた本体筐体と、
前記本体筐体に対して回転可能に取り付けられている表示手段と、
前記本体筐体に対して回転可能に取り付けられ、その回転によって前記表示手段の前記本体筐体に対する回転を連動させる回転動作手段と
を備えていることを特徴とする撮像装置。
【請求項２】
前記回転動作手段は、前記撮像素子での画像取り込みを開始するための釦を備えるグリップ部から成る
ことを特徴とする請求項１記載の撮像装置。
【請求項３】
前記回転動作手段の基準位置に対する一方側の回転角とその回転に連動する前記表示手段の回転角とは１対１になっており、前記回転動作手段の基準位置に対する他方側の回転角とその回転に連動する前記表示手段の回転角とは１対ｎ（ｎは１以外の数）になっている
ことを特徴とする請求項１記載の撮像装置。
【請求項４】
前記回転動作手段の回転と連動して前記本体筐体に対して回転するファインダーを備えている
ことを特徴とする請求項１記載の撮像装置。
【請求項５】
前記ファインダーは、前記回転動作手段の基準位置に対する一方側への回転と連動して回転し、他方側への回転と連動しないよう支持されている
ことを特徴とする請求項４記載の撮像装置。
【請求項６】
前記回転動作手段と前記表示手段とは歯車およびその歯車とともに回転するアームによって支持されている
ことを特徴とする請求項１記載の撮像装置。
【請求項７】
前記回転動作手段と前記表示手段とはスライドカムおよび連結棒によって支持されている
ことを特徴とする請求項１記載の撮像装置。
【請求項８】
前記表示手段は、前記本体筐体に対して円弧状に回転するよう支持されている
ことを特徴とする請求項１記載の撮像装置。
【請求項９】
前記表示手段は、前記本体筐体に対して基準位置から一方側の回転で円弧状に回転し、他方側の回転で円弧状の回転とともに前記本体筐体から突出する方向に移動するよう支持されている
ことを特徴とする請求項１記載の撮像装置。
【発明の詳細な説明】
【０００１】
【発明の属する技術分野】
本発明は、本体筐体に画像を表示するための表示手段が回転可能に取り付けられている撮像装置に関する。
【０００２】
【従来の技術】
従来より、デジタルスチルカメラやビデオカメラ等の撮像装置に設けられた映像確認用の表示装置は、本体筐体に対して表示支持機構を介して取り付けられることによって、撮影状態に応じて移動可能になっているものが多い。
【０００３】
このような表示支持機構を備える撮像装置の例としては、例えば特許文献１が挙げられる。また特許文献２では、本体部分に表示装置が設けられ、撮影レンズ部分が本体部分に対して回転可能に支持される構造が開示されている。
【０００４】
【特許文献１】
特開２０００−５０１１７号公報
【特許文献２】
特開平８−１８６７６８号公報
【０００５】
【発明が解決しようとする課題】
しかしながら、特許文献１で開示される撮像装置においては、カメラ本体に表示装置が移動可能に支持されているものの、ハイアングル撮影もしくはローアングル撮影を行うためには本体筐体を右手で支えながら、表示装置を左手で操作しなければならず、本体のグリップが不安定になるという問題が生じる。
【０００６】
また、特許文献２で開示される撮像装置のように、カメラ本体部分に表示装置が設けられ、撮影レンズ部分が本体に回転可能に支持されている構成では、両手でカメラ部分と本体部分とを持ったまま、ハイアングル撮影もしくはローアングル撮影を行うことは出来るものの、カメラ本体部分に比較的表面積の大きな表示装置を備えるため、カメラ全体の小型化のためには撮影レンズ部分を小さくせざるを得なくなり、撮像素子から信号を処理する回路がレンズ部分に収納できなくなる場合も生じる。
【０００７】
その場合にはレンズ部分とカメラ部分の回転ヒンジ部分の中に撮像素子の信号を通さなければならなくなり、信号の劣化という問題や基板の細分化によるコストアップという問題が発生する。
【０００８】
また、ストロボ発光部や、自動焦点合わせ用の補助光発光部、自動焦点合わせ用の受光素子などの発光手段やセンサー類は撮影レンズと同一方向に指向させなければならないので、撮影レンズ部分に配置しなければならず、そのため撮影レンズ部分の大型化や、ひいてはカメラ本体の大型化、デザインの自由度を阻害するといった問題が生じる。
【０００９】
【課題を解決するための手段】
本発明は、このような課題を解決するために成されたものである。すなわち、本発明の撮像装置は、レンズおよびこのレンズを介して画像を取り込む撮像素子が設けられた本体筐体と、本体筐体に対して回転可能に支持されている表示手段と、本体筐体に対して回転可能に取り付けられ、その回転によって表示手段の本体筐体に対する回転を連動させる回転動作手段とを備えている。
【００１０】
このような本発明では、本体筐体と回転動作手段とを両手で持った状態で回転動作手段によって表示手段を本体筐体に対して回転させることができる。つまり、撮影アングルを変える場合に撮像装置を両手で保持したまま表示手段の回転動作を行うことができ、撮影アングルに合わせた表示手段の角度を得ることができる。また、本体筐体にレンズおよび撮像素子が設けられているため、回転ヒンジを介すことなく撮像素子の信号を処理できるようになる。
【００１１】
【発明の実施の形態】
以下、本発明の実施の形態を図に基づき説明する。図１は本実施形態に係る撮像装置のブロック図、図２は本実施形態に係る撮像装置の前方斜視図である。この撮像装置１はレンズ４０、操作部材（２４〜２８）、マイク１２、スピーカ１９、表示ＬＣＤ１７、ストロボユニット２１等を備えたデジタルスチルカメラである。
【００１２】
操作部材（２４〜２８）としては、レンズ４０の周囲に設けられる回転操作部２４と、レンズ４０の筐体に設けられ撮影モードを切り替えるスライドスイッチから成るモード切替部２５と、露出固定やホワイトバランス調整を行うための調整ボタン２６と、シャッターボタンや露光調整ダイヤル等から成る撮影ボタン群２７と、表示ＬＣＤ１７の表示内容を切り替える表示切り替えボタン２８とを備えている。
【００１３】
撮像装置１のブロック構成としては、ＭＰＵ（中央演算装置）１１を中心として、マイク１２、アンプ１３、ＣＣＤ（固体撮像素子）１４、信号処理回路１５、ＲＧＢドライバ１６、表示ＬＣＤ１７、アンプ１８、スピーカ１９、コントローラ２０、ストロボユニット２４、記憶媒体２２、外部端子２３、操作部材（２４〜２８）、レンズ４０が制御される構成となっている。
【００１４】
また、レンズ４０の内部には、絞り制御モータ４１、ズームモータ４２、フォーカスモータ４３、シャッター４４およびこれらを動作させるドライバ４５が設けられている。
【００１５】
マイク１２やＣＣＤ（固体撮像素子）１４からの信号はそれぞれアンプ１３、信号処理回路１５によって処理され、ＭＰＵ１１に送られる。また、絞り制御モータ４１、ズームモータ４２、フォーカスモータ４３、シャッター４４はドライバ４５を介してＭＰＵ１１によって制御される。
【００１６】
ＣＣＤ１４で取り込んだ画像は、ＭＰＵ１１からＲＧＢドライバ１６によって表示ＬＣＤ１７に表示される。スピーカ１９はアンプ１８を介して音を発生する。また、ＭＰＵ１１はコントローラ２０を介してストロボユニット２１の制御を行い、フラッシュの発光を制御する。
【００１７】
ＭＰＵ１１によってメモリースティック（ソニー社商標）等の記憶媒体２２への書き込み読み出しや、外部端子２３を通しての通信や出力が行われる。また、操作部材（２４〜２８）によって撮影条件の設定が行われる。なお、これら各部は図示しない電源系により駆動されている。
【００１８】
このような本実施形態の撮像装置１では、撮影ボタン群２７を備えるグリップ３が回転動作手段となって本体筐体に対して回転自在に取り付けられており、このグリップ３の回転と連動して表示ＬＣＤ１７（本体筐体の裏側に配置）が本体筐体に対して回転できるようになっている。
【００１９】
図３〜図５は、第１実施形態の撮像装置における内部構造を示す透視図であり、図３は通常撮影状態、図４はハイアングル撮影状態、図５はローアングル撮影状態をそれぞれ示している。
【００２０】
グリップ３は、撮像装置の本体筐体に対して非図示の軸によってグリップギヤ５１と一体に回転可能に軸支されている。第二ギヤ５２は非図示の軸によって本体筐体に対して軸支され、グリップギヤ５１および第一アーム５３のギヤ部５３ｇ、第二アーム５４のギヤ部５４ｇに噛み合っている。
【００２１】
表示パネル１７の支持軸１７ｃ、１７ｄは、それぞれ第一アーム５３の支持部５３ｃ、第二アーム５４のカム溝５４ｄによって支持され表示パネル１７の位置が保持されている。
【００２２】
ＥＶＦ（電子ビューファインダー）４は非図示の軸によって本体筐体に対して第一アーム５３と一体に回転可能に軸支されている。グリップ３を図示時計方向（ＣＷ方向）回転させるとハイアングル撮影状態となる。
【００２３】
図４ではグリップ３を本体筐体に対して１０°ＣＷ方向に回転させている。グリップギヤ５１はグリップと一体に１０°回転する。第二ギヤ５２の回転角度＝１０°×グリップギヤの歯数／第二ギヤの歯数であり、ここでは第二ギヤ５２は２０°反時計方向（ＣＣＷ方向）に回転している。
【００２４】
第二アーム５４はギヤ部５４ｇが第二ギヤ５２に噛み合ってＣＷ回転する。第二ギヤ５２と第二アーム５４のギヤ部５４ｇ歯数はここでは同一なので、第二アーム５４は２０°回転する。第一アーム５３のギヤ部５３ｇに噛み合う部分の第二ギヤ５２ｂ部分は切り欠かれていて、第一アーム５３は回転しない。
【００２５】
表示パネル１７は支持軸１７ｃ、１７ｄによって支持されているが、第一アーム５３が回転しないため、第一アーム５３の支持部５３ｃを中心に第二アーム５４の回転によってカム溝５４ｄに１７ｄが契合するように回転する。ここでは表示パネル１７は本体に対して３０°回転している。ＥＶＦ４は第一アーム５３と一体に軸支されているため本体に対して回転はしない。
【００２６】
グリップ３を図示ＣＣＷ方向回転させるとローアングル撮影状態となる。図５では図３の通常位置からグリップ３を本体１に対して３０°ＣＣＷ方向に回転させた状態を示している。
【００２７】
グリップギヤ５１はグリップ３と一体に３０°回転する。第二ギヤ５２は６０°ＣＷ方向に回転している。第二アーム５４はギヤ部５４ｇが第二ギヤ５２に噛み合ってＣＣＷ回転する。第二ギヤ５２と第二アーム５４のギヤ部５４ｇ歯数はここでは同一なので第二アーム５４は６０°回転する。
【００２８】
第二ギヤ５２はＣＷ回転方向では切り欠かれていないので第一アーム５３のギヤ部５３ｇに噛み合い、第一アーム５３も第二アーム５４と同様に６０°ＣＣＷ回転する。
【００２９】
表示パネル１７は支持軸１７ｃ、１７ｄによって支持されているので支持軸５３ｃを中心として本体に対して６０°回転している。ＥＶＦ４は第一アーム５３と一体に軸支されているため同様に本体に対して６０°回転する。
【００３０】
このような第１実施形態では、ＥＶＦ４が本体筐体に対して、ハイアングル撮影時には不動であり、ローアングル撮影時のみ可動する構造となり、ハイアングル時には使用しないＥＶＦ４として動きの最適化が図れ、レイアウトやデザインの自由度を増加させることができる。
【００３１】
なお、上記実施形態ではレンズ一体型のカメラとしたが、本体筐体とレンズとが回転ヒンジを用いないで取り付けられているものであればレンズ交換式カメラであってもよい。
【００３２】
以下、本発明の第２実施形態を図に基づき説明する。図６〜図８は第２実施形態に係る撮像装置の内部構造を示す透視図であり、図６は通常撮影状態、図７はハイアングル撮影状態、図８はローアングル撮影状態をそれぞれ示している。
【００３３】
ここで、図６〜８において「Ｒ」の付された符号で示されるものは、モニタ５７の光軸に対し左右対称となる構成の一方を示すものであるが、以下の説明では「Ｒ」を省略した数字だけで示す。
【００３４】
グリップ５５は撮像装置における本体筐体に対して非図示の軸によって回転アーム６７と一体に回転可能に軸支されている。ここで、支持アーム６５はアーム軸６６によって６７と回転可能に軸支されていて、スライド軸６３によってスライドアーム６８とも回転可能に軸支されている。
【００３５】
このとき支持アーム６９にカシメられている支持軸６５はガイド板金５９のカム溝によりその移動軌跡を規制されている。このことにより、支持アーム６９はグリップ５５の回転に対し１対１の挙動を行う。
【００３６】
スライドアーム６８はスライド軸６３で支持アーム６９と回転可能に軸支されていて、フレーム軸６２によってＬＣＤフレーム６０とも回転可能に軸支されている。
【００３７】
ここで、スライドアーム６８にカシメられている水平移動軸６４は、ガイド板金５９のカム溝によりその移動軌跡を規制されている。このことにより、スライドアーム６８は支持アーム６９の挙動に対し１対１の挙動を行い、支持アーム６９はグリップ５５の回転に対しても１対１の挙動を行う。
【００３８】
ＬＣＤフレーム６０はフレーム軸６２でスライドアーム６８と回転可能に軸支されている。ここで、ＬＣＤフレームにカシメられているＬＣＤ軸６１は、ガイド板金５９のカム溝によりその移動軌跡を規制されている。
【００３９】
支持アーム６９の挙動はグリップ５５の回転に対して１対１の挙動を行うのでＬＣＤ軸６１とフレーム軸６２もグリップ５５の回転に対して１対１の挙動を行う。
【００４０】
ＬＣＤブロック５７は両側のＬＣＤフレーム６０に固定されている。よって、これらの移動軌跡の規制によりＬＣＤブロック５７はグリップ５５の回転に対し１対１の挙動を行う。なお、レンズブロック５６は本体筐体に固定されている。
【００４１】
次に、図７について説明を行う。グリップ５５を図示時計方向回転（ＣＷ方向）させるとハイアングル撮影状態となる。図７ではグリップ３を撮像装置の本体筐体に対して２４°ＣＷ方向に回転させている。
【００４２】
グリップ５５が２４°（ＣＷ方向）に回転させると、固定されている回転アーム６７も２４°（ＣＷ方向）に回転する。回転アーム６７に軸支された支持アーム６５はカメラ上方向に持ち上げられる。
【００４３】
このとき支持アームはグリップ５５の回転に対し１対１の移動挙動を行う。支持アーム６５に軸支されたスライドアーム６８は前述の通りグリップに対し１対１の移動挙動で上方に持ち上がる。
【００４４】
スライドアーム６８が持ち上がると、フレーム軸６２により軸支されたＬＣＤフレーム６０はカメラ本体７０に沿うようにＬＣＤブロック５７の本体側円弧の中心を軸として回転する。このとき、ＬＣＤブロック５７は３５°（ＣＷ方向）回転する。
【００４５】
次に、図８について説明を行う。グリップ５５を図示ＣＣＷ方向に回転させるとローアングル撮影状態となる。図８では図６の通常位置からグリップ５５を本体筐体に対して７０°（ＣＣＷ方向）回転させている。
【００４６】
グリップ５５を７０°（ＣＣＷ方向）に回転させると、固定されている回転アーム６７も７０°（ＣＣＷ方向）回転する。回転アーム６７に軸支された支持アーム６５はカメラ下方向に下げられる。
【００４７】
このとき支持アーム６５はグリップ５５の回転に対し１対１の移動挙動を行う。支持アーム６５に軸支されたスライドアーム６８は前述の通りグリップに対し１対１の移動挙動で下方に下がり、ほぼ水平になったところでガイド板金５９の規制によりカメラ後方（本体筐体から突出する方向）に移動する。
【００４８】
スライドアームが移動すると、フレーム軸６２により軸支されたＬＣＤフレーム６０は本体筐体に沿うようにＬＣＤブロック５７の本体側円弧の中心を軸として回転する。このとき、ＬＣＤブロック５７は７０°（ＣＣＷ方向）回転する。
【００４９】
このような第２実施形態により、本体筐体とＬＣＤブロックとの間に大きな隙間ができないので、フリップに比べ構造上の強度を増加させることができる。また、ＬＣＤブロックの一部分が常に本体側に面しているのでＬＣＤブロックと本体部を結ぶ配線等を外観に影響することなく配置することが可能となる。
【００５０】
また、第２実施形態では、図７に示すハイアングル撮影状態においてＬＣＤブロック５７が円弧状に回転し、図８に示すローアングル撮影状態においてＬＣＤブロック５７が円弧状に回転するとともに本体筐体から突出する方向へスライドする。これによってローアングル撮影時のＬＣＤ表示が参照しやすいものとなる。
【００５１】
さらに、第２実施形態では、ＬＣＤブロック５７が円弧状に回転するため本体筐体の内側での回転となり、本体筐体がＬＣＤブロック５７の庇となって日中でも視認性を向上できるようになる。
【００５２】
なお、上記実施形態ではレンズ一体型のカメラとしたが、本体筐体とレンズとが回転ヒンジを用いないで取り付けられているものであればレンズ交換式カメラであってもよい。
【００５３】
また、グリップ５５の回転角とＬＣＤブロック５７の回転角とは必ずしも１対１に限定されず、グリップ５５の基準位置に対する一方側への回転角とこの回転に連動するＬＣＤブロック５７の回転角とが１対１、グリップ５５の基準位置に対する他方側への回転角とこの回転に連動するＬＣＤブロック５７の回転角とが１対ｎ（ｎは１以外の数）であっても、また両方向の回転とも１対ｎであってもよい。
【００５４】
また、本発明は、デジタルスチルカメラに限らずにＬＣＤなどの表示パネルを有した他の撮像装置であってもよい。さらに、本実施形態では回転動作手段としてグリップ３、５５を例として説明したが、必ずしもグリップだけではなく本体筐体に対して回転可能に支持されるダイヤルやレバーであっても可能である。
【００５５】
【発明の効果】
以上説明したように、本発明によれば次のような効果がある。すなわち、両手で撮像装置の本体筐体と回転移動手段とを持ったまま、ハイアングル撮影およびローアングル撮影時に表示手段を傾けることが可能となる。また、撮影レンズと筐体本体とが一体である構造をとることが出来るので、ストロボ発光部や、ＡＦ補助光発光部、ＡＦ受光素子などの発光手段やセンサー類を本体に配置することができ、撮像素子と本体筐体との間には回転構造がないので実装構造にも自由度が増し、撮像装置の小型化を図ることも可能となる。
【図面の簡単な説明】
【図１】図１は本実施形態に係る撮像装置のブロック図である。
【図２】本実施形態に係る撮像装置の前方斜視図である。
【図３】第１実施形態の撮像装置における通常撮影状態での内部構造を示す透視図である。
【図４】第１実施形態の撮像装置におけるハイアングル撮影状態での内部構造を示す透視図である。
【図５】第１実施形態の撮像装置におけるローアングル撮影状態での内部構造を示す透視図である。
【図６】第２実施形態の撮像装置における通常撮影状態での内部構造を示す透視図である。
【図７】第２実施形態の撮像装置におけるハイアングル撮影状態での内部構造を示す透視図である。
【図８】第２実施形態の撮像装置におけるローアングル撮影状態での内部構造を示す透視図である。
【符号の説明】
１…撮像装置、３…グリップ、４…ＥＶＦ、１１…ＭＰＵ、１２…マイク、１４…ＣＣＤ、１５…信号処理回路、１７…表示ＬＣＤ、２２…記憶媒体、４０…レンズ
【図１】
2004147145.tif 000003
【図２】
2004147145.tif 000004
【図３】
2004147145.tif 000005
【図４】
2004147145.tif 000006
【図５】
2004147145.tif 000007
【図６】
2004147145.tif 000008
【図７】
2004147145.tif 000009
【図８】
2004147145.tif 000010